(57)【要約】【課題】周辺の出力端子の状況による立ち上がり／下がり時間の変化を抑制する。【解決手段】電流源１０１が『オフ』になり電流源１０２が『オン』になると、カレントミラー構造である入力トランジスタ１０３，１０４に流れる電流が停止する。よって、出力トランジスタ１０５ｐのゲート電圧が『第２の電位』の近傍になるまでの間、出力トランジスタ１０５ｐのゲートと電流源１０２との間には定電流が流れる。定電流『Ｉ』と出力トランジスタ１０５ｐのゲート−ドレイン間容量『Ｃ』とで規定される電圧Ｖｏのスルーレート『Ｉ／Ｃ』に比べて、出力トランジスタ１０５ｐの電流能力『ｉ』と負荷容量『ＣＬ』とで規定される電圧Ｖｏｕｔのスルーレート『ｉ／ＣＬ』が大きい場合、出力トランジスタ１０５ｐのドレイン電圧Ｖｏｕｔは、ゲート電圧Ｖｏの変化（スルーレート『Ｉ／Ｃ』）に合わせて変化する。【選択図】図１
2008032812.tif 000002
【特許請求の範囲】
【請求項１】
表示データに応じてオン／オフする第１および第２の電流源と、
第１の電位に接続されたソースと、前記第１電流源を介して第２の電位に接続されたドレインと、ゲートとを有し、且つ、前記ドレインと前記ゲートとが互いに接続された第１の入力トランジスタと、
前記第１の電位に接続されたソースと、前記第２の電流源を介して前記第２の電位に接続されたドレインと、前記第１の入力トランジスタのゲート電圧を受けるゲートとを有する第２の入力トランジスタと、
前記第１の電位に接続されたソースと、ドレインと、前記第２の入力トランジスタのドレイン電圧を受けるゲートとを有する第１の出力トランジスタと、
前記第２の電位に接続されたソースと、前記第１の出力トランジスタのドレインに接続されたドレインと、前記表示データに対応する制御信号を受けるゲートとを有する第２の出力トランジスタとを備える
ことを特徴とする出力駆動装置。
【請求項２】
請求項１において、
前記表示データは、第１および第２の状態を有し、
前記表示データが第１の状態であると、前記第１の電流源はオフになり、前記第２の電流源はオフになり、前記第２の出力トランジスタはオンになり、
前記表示データが第２の状態であると、前記第１の電流源はオンになり、前記第２の電流源はオンになり、前記第２の出力トランジスタはオフになる
ことを特徴とする出力駆動装置。
【請求項３】
請求項１において、
前記第１電流源は、前記第２の電位に接続されたソースと前記第１の入力トランジスタのドレインに接続されたドレインと任意の定電圧を受けるゲートとを有する第１の電流源トランジスタであり、
前記第２電流源は、前記第２の電位に接続されたソースと前記第２の入力トランジスタのドレインに接続されたドレインと任意の定電圧を受けるゲートとを有する第２の電流源トランジスタである
ことを特徴とする出力駆動装置。
【請求項４】
請求項３において、
前記第１の電流源トランジスタに任意の定電流を流すための第３の電位を一方の電源として受けるとともに当該第１の電流源トランジスタに０以上の任意の電流を流すための第４の電位を他方の電源として受け、前記表示データに対応する第１の入力信号に応じて第３の電位または第４の電位のうちいずれか一方を出力する第１の二値論理回路と、
前記第２の電流源トランジスタに任意の定電流を流すための第５の電位を一方の電源として受けるとともに当該第２の電流源トランジスタに０以上の任意の電流を流すための第６の電位を他方の電源として受け、前記表示データに対応する第２の制御信号に応じて第５の電位または第６の電位を出力する第２の二値論理回路とを備え、
前記第１電流源トランジスタは、前記第１の二値論理回路の出力をゲートに受け、
前記第２電流源トランジスタは、前記第２の二値論理回路の出力をゲートに受ける
ことを特徴とする出力駆動装置。
【請求項５】
請求項４において、
前記第３および第５の電位は、互いに同電位であり、
前記第４および第６の電位は、互いに同電位である
ことを特徴とする出力駆動装置。
【請求項６】
請求項４において、
定電流源と、
前記第２の電位に接続されたソースと、前記定電流源を介して前記第１の電位に接続されたドレインと、ゲートとを有し、且つ、前記ドレインと前記ゲートとが互いに接続されたバイアス電圧生成用トランジスタと、
前記バイアス電圧生成用トランジスタのゲート電圧を増幅し、増幅したゲート電圧を前記第３および第５の電位として出力する電流バッファ回路とをさらに備える
ことを特徴とする出力駆動装置。
【請求項７】
請求項４において、
定電流源と、
前記第２の電位に接続されたソースと、前記定電流源を介して前記第１の電位に接続されたドレインと、ゲートとを有し、且つ、前記ドレインと前記ゲートとが互いに接続されたバイアス電圧生成用トランジスタと、
前記バイアス電圧生成用トランジスタのゲート電圧を増幅し、増幅したゲート電圧を前記第４および第６の電位として出力する電流バッファ回路とをさらに備える
ことを特徴とする出力駆動装置。
【請求項８】
請求項４において、
前記第１および第２の制御信号は、第１および第２の状態を有し、
前記第１の二値論理回路は、前記第１の制御信号が第１の状態であるときには前記第４の電位を出力し、前記第１の制御信号が第２の状態であるときには前記第３の電位を出力し、
前記第２の二値論理回路は、前記第２の制御信号が第１の状態であるときには前記第６の電位を出力し、前記第２の制御信号が第２の状態であるときには前記第５の電位を出力する
ことを特徴とする出力駆動装置。
【請求項９】
請求項１において、
前記第１の入力トランジスタのチャネル幅／チャネル長は、前記第２の入力トランジスタのチャネル幅／チャネル長よりも小さい
ことを特徴とする出力駆動装置。
【請求項１０】
請求項８において、
前記第１の二値論理回路の出力を遅延させる遅延回路をさらに備え、
前記第２の二値論理回路は、前記第２の制御信号として前記第１の二値論理回路の出力を受け、前記第２の二値論理回路の出力が前記第４の電位であるときには前記第５の電位を出力し、前記第１の二値論理回路の出力が前記第３の電位であるときには前記第６の電位を出力し、
前記第２の出力トランジスタは、前記制御信号として前記遅延回路の出力をゲートに受け、前記遅延回路の出力が前記第３の電位であるときにはオンになり、前記遅延回路の出力が前記第４の電位であるときにはオフになる
ことを特徴とする出力駆動装置。
【請求項１１】
請求項１において、
前記第１の出力トランジスタのゲートとドレインとの間に接続された容量をさらに備える
ことを特徴とする出力駆動装置。
【請求項１２】
請求項２において、
前記第１の入力トランジスタのドレインと前記第２の電位との間に接続され、且つ、前記表示データに応じてオン／オフする一方、前記第１の電流源よりも電流値が小さい電流を供給する第３の電流源をさらに備え、
前記第３の電流源は、前記表示データが第１の状態であるときにはオンになり、前記表示データが第２の状態であるときにはオフになり、
前記第１の電流源は、前記表示データが第２の状態から第１の状態になるとオンになり、前記第２の入力トランジスタのドレイン電圧が安定するために要する所定時間が経過した後にオフになる
ことを特徴とする出力駆動装置。
【請求項１３】
請求項１において、
前記表示データに応じてオン／オフする第４の電流源と、
前記第１の出力トランジスタのゲートに接続されたソースと、前記第４の電流源を介して前記第２の電位に接続されたドレインと、前記第１の出力トランジスタのドレインに接続されたゲートとを有するトランジスタとをさらに備える
ことを特徴とする出力駆動装置。
【請求項１４】
表示データに応じてオン／オフする第１および第２の電流源と、
第１の電位に接続されたソースと、前記第１電流源を介して第２の電位に接続されたドレインと、ゲートとを有し、且つ、前記ドレインと前記ゲートとが互いに接続された第１の入力トランジスタと、
前記第１の電位に接続されたソースと、前記第２の電流源を介して前記第２の電位に接続されたドレインと、前記第１の入力トランジスタのゲート電圧を受けるゲートとを有する第２の入力トランジスタと、
前記第１の電位に接続されたソースと、ドレインと、前記表示データに対応する制御信号を受けるゲートとを有する第１の出力トランジスタと、
前記第２の電位に接続されたソースと、前記第１の出力トランジスタのドレインに接続されたドレインと、前記第２の入力トランジスタのドレイン電圧を受けるゲートとを有する第２の出力トランジスタとを備える
ことを特徴とする出力駆動装置。
【請求項１５】
請求項１から請求項１４のうちいずれか１つに記載の出力駆動装置を複数個備える
ことを特徴とする表示装置。
【発明の詳細な説明】
【技術分野】
【０００１】
本発明は、容量負荷駆動装置に関し、特に、ＰＤＰ（Plasma Display Panel）などの表示用ドライバ等として利用する駆動駆動装置および表示装置に関する。
【背景技術】
【０００２】
図１０は、従来の出力駆動装置の全体構成を示す。従来の出力駆動装置は、ドレイン，ゲートが高耐圧（１５Ｖ以上）のトランジスタ９０３，９０４と、ドレインが高耐圧でゲートが低耐圧（１０Ｖ以下）であるトランジスタ９０１，９０２との４個のトランジスタで構成されるレベルシフタ９１と、トランジスタ９２ｐ，９２ｎで構成されるインバータ９２と、トランジスタ９３ｐ，９３ｎで構成される出力回路９３とを備えている。
【０００３】
トランジスタ９０１は、第２の電位（例えば、接地電位）にソースが接続され、入力信号Ｓ９０１をゲートに受ける。トランジスタ９０２は、第２の電位にソースが接続され、入力信号Ｓ９０２をゲートに受ける。トランジスタ９０３は、第１の電位（例えば、電源電位）にソースが接続され、トランジスタ９０１のドレインおよびトランジスタ９０４のゲートにドレインが接続され、トランジスタ９０４のドレインおよびトランジスタ９０２のドレインにゲートが接続される。トランジスタ９０４は、第１の電位にソースが接続され、トランジスタ９０２のドレインおよびトランジスタ９０３のゲートにドレインが接続され、トランジスタ９０３のドレインおよびトランジスタ９０１のドレインにゲートが接続されている。トランジスタ９０４のドレイン電圧は、レベルシフタ９１の出力となる。
【０００４】
トランジスタ９２ｐは、第１の電位にソースが接続され、トランジスタ９２ｎのドレインにドレインが接続され、レベルシフタ９１の出力をゲートに受ける。トランジスタ９２ｎは、第２の電位にソースが接続され、トランジスタ９２ｐのドレインにドレインが接続され、制御信号Ｓ９２ｎをゲートに受ける。トランジスタ９２ｐのドレイン電圧Ｖｏは、インバータ９２の出力となる。
【０００５】
トランジスタ９３ｐは、第１の電位にソースが接続され、トランジスタ９３ｎのドレインにドレインが接続され、インバータ９２の出力Ｖｏをゲートに受ける。トランジスタ９３ｎは、第２の電位にソースが接続され、トランジスタ９３ｐのドレインにドレインが接続され、制御信号Ｓ９３ｎをゲートに受ける。
【０００６】
次に、図１０に示した出力駆動装置による動作について説明する。従来の出力駆動装置では、入力信号Ｓ９０１が『Ｌレベル』になり入力信号Ｓ９０２が『Ｈレベル』になると、トランジスタ９０１が『オフ』になりトランジスタ９０２が『オン』になるので、トランジスタ９０４のゲートは立ち上がり（ゲート電圧が『Ｌレベル』から『Ｈレベル』になり）、トランジスタ９０３のゲートは立ち下がる（ゲート電圧が『Ｈレベル』から『Ｌレベル』になる）。
【０００７】
次に、入力信号Ｓ９０１が『Ｈレベル』になり入力信号Ｓ９０２が『Ｌレベル』になると、トランジスタ９０１が『オン』になりトランジスタ９０２が『オフ』になるので、トランジスタ９０３のゲートは立ち上がり、トランジスタ９０４のゲートは立ち下がる。よって、レベルシフタ９１の出力Ｖｏが立ち上がるので、トランジスタ９２ｐのゲートが立ち上がる。一方、制御信号Ｓ９２ｎが『Ｈレベル』になるので、トランジスタ９２ｎのゲートは立ち上がる。その結果、トランジスタ９３ｐのゲートは立ち下がり、トランジスタ９３ｐの出力電流が増加し、負荷への充電電流も増加する。このようにして、負荷を駆動する。
【特許文献１】特開２００５−１２２１０７号
【特許文献２】特開２００５−３２１５２６号
【発明の開示】
【発明が解決しようとする課題】
【０００８】
しかし、従来の出力駆動装置では、出力回路のトランジスタのゲートをインバータによって高速に駆動するため、出力電圧は、負荷容量（例えば、表示パネルの負荷容量）に依存して変化することになる。また、表示パネルに実装された複数の出力駆動装置の各々の出力電圧は、その出力駆動装置に入力された表示データに応じて、立ち上がりまたは立ち下がる。ここで、端子間容量によるカップリング効果や周辺の出力端子の状況によって、出力駆動装置の各々の出力電圧は、立ち上がり／下がり時間が変化してしまう。
【０００９】
本発明は、出力電圧の変化が負荷容量に依存しないようにすることを目的とする。
【課題を解決するための手段】
【００１０】
この発明の１つの局面に従うと、出力駆動装置は、表示データに応じてオン／オフする第１および第２の電流源と、第１の電位に接続されたソースと上記第１電流源を介して第２の電位に接続されたドレインとゲートとを有し且つ上記ドレインと上記ゲートとが互いに接続された第１の入力トランジスタと、上記第１の電位に接続されたソースと上記第２の電流源を介して上記第２の電位に接続されたドレインと上記第１の入力トランジスタのゲート電圧を受けるゲートとを有する第２の入力トランジスタと、上記第１の電位に接続されたソースとドレインと上記第２の入力トランジスタのドレイン電圧を受けるゲートとを有する第１の出力トランジスタと、上記第２の電位に接続されたソースと上記第１の出力トランジスタのドレインに接続されたドレインと上記表示データに対応する制御信号を受けるゲートとを有する第２の出力トランジスタとを備える。
【００１１】
上記出力駆動装置では、第１の出力トランジスタのドレイン電圧が出力電圧として出力される。例えば、第１の電流源がオフになり第２の電流源がオンになると、第１の出力トランジスタのゲートと第２の電流源との間には定電流が流れる。ここで、この定電流を『Ｉ』とし、第１の出力トランジスタのゲート−ドレイン間容量を『Ｃ』とし、第１の出力トランジスタの電流能力を『ｉ』とし、出力負荷容量を『ＣＬ』とすると、第１の出力トランジスタのゲート電圧のスルーレートは『Ｉ／Ｃ』になる。また、第１の出力トランジスタのドレイン電圧のスルーレートは『ｉ／ＣＬ』になる。ここで、スルーレート『Ｉ／Ｃ』に比べてスルーレート『ｉ／ＣＬ』が大きい場合、出力電圧の変化は、スルーレート『Ｉ／Ｃ』に依存する。スルーレート『Ｉ／Ｃ』は一定であるので、出力電圧は、負荷容量に依存することなく、一定速度で変化する。これにより、高品質な駆動を実現することができる。
【発明の効果】
【００１２】
以上のように、出力電圧の変化が負荷容量に依存することなく、出力電圧を一定速度で変化させることができる。これにより、高品質な駆動を実現することができる。
【発明を実施するための最良の形態】
【００１３】
以下、この発明の実施の形態を図面を参照して詳しく説明する。なお、図中同一または相当部分には同一の符号を付しその説明は繰り返さない。
【００１４】
（第１の実施形態）
＜全体構成＞
図１は、この発明の第１の実施形態による出力駆動装置の構成を示す。この出力駆動装置１は、プラズマディスプレイ等の表示装置の複数の表示ライン（図示せず）に対して高耐圧のデータ信号を供給する装置であり、入力した表示データを約８０Ｖの高電圧に電圧レベル変換して表示装置へ出力する。
【００１５】
この出力駆動装置１は、カレントミラー回路１０と、出力回路２０とを備える。
【００１６】
カレントミラー回路１０は、電流源１０１，１０２と、入力トランジスタ１０３，１０４とを含む。電流源１０１，１０２の各々は、電流値の可変制御が可能であり、表示データに対応する制御信号Ｓ１０１，Ｓ１０２に応じてオン／オフする。入力トランジスタ１０３は、ドレインに電流源１０１が接続され、ソースに第１の電位（例えば、電源電位）が接続される。また、入力トランジスタ１０３のドレインおよびゲートは、互いに接続されている。入力トランジスタ１０４は、ドレインに電流源１０２が接続され、ソースに第１の電位が接続され、ゲートに入力トランジスタ１０３のゲートに接続される。
【００１７】
出力回路２０は、出力トランジスタ１０５ｐ，１０５ｎを含む。出力トランジスタ１０５ｐ，１０５ｎは、第１の電位と第２の電位（例えば、接地電位）との間に直列に接続される。出力トランジスタ１０５ｐのゲートにはカレントミラー回路１０の出力（入力トランジスタ１０４のドレイン電圧）Ｖｏが与えられ、出力トランジスタ１０５ｎのゲートには表示データに対応する制御信号Ｓ１０５ｎが与えられる。出力トランジスタ１０５ｐのドレイン電圧は、出力回路２０の出力電圧Ｖｏｕｔとして出力される。
【００１８】
＜動作＞
次に、図１に示した出力駆動装置１による動作について説明する。なお、ここでは、電流源１０２がオンであるときの電流源１０２の電流を『Ｉ』とし、出力回路２０の出力トランジスタ１０５ｐのゲート−ドレイン間容量を『Ｃ』とし、出力回路２０の出力トランジスタ１０５ｐの電流能力を『ｉ』とし、表示装置の負荷容量を『ＣＬ』とする。
【００１９】
まず、表示データが『Ｈレベル』から『Ｌレベル』になると、電流源１０１が『オフ』から『オン』になり、電流源１０２が『オン』から『オフ』になる。このとき、入力トランジスタ１０３に電流が流れるとともに、カレントミラー構造になっている入力トランジスタ１０４にも電流が流れる。これにより、入力トランジスタ１０４のドレイン電圧Ｖｏはソース電位である『第１の電位』に近づき、ドレイン電圧Ｖｏが『第１の電位』の近傍になると入力トランジスタ１０４を流れる電流が停止する。カレントミラー回路１０の出力電圧Ｖｏが『第１の電位』の近傍になるため、出力回路２０の出力トランジスタ１０５ｐには電流が流れなくなる。また、このとき、制御信号Ｓ１０５ｎは『Ｈレベル』になっており、出力トランジスタ１０５ｎは『オン』になっている。よって、出力回路２０の出力電圧（出力トランジスタ１０５ｐのドレイン電圧）Ｖｏｕｔは、『第２の電位』の近傍になる。
【００２０】
次に、表示データが『Ｌレベル』から『Ｈレベル』になると、電流源１０１，１０２が制御信号Ｓ１０１，Ｓ１０２を受け、電流源１０１が『オン』から『オフ』になり電流源１０２が『オフ』から『オン』になって、入力トランジスタ１０３，１０４の各々に流れている電流が停止する。また、制御信号Ｓ１０５ｎは『Ｌレベル』になっており、出力トランジスタ１０５ｎは『オフ』になっている。このとき、カレントミラー回路１０の出力電圧Ｖｏのスルーレートは『Ｉ／Ｃ』になる。ここで、出力電圧Ｖｏのスルーレート『Ｉ／Ｃ』が出力電圧Ｖｏｕｔのスルーレート『ｉ／ＣＬ』に比べて小さい場合、出力トランジスタ１０５ｐのゲート−ドレイン間容量によるフィードバックによって、出力トランジスタ１０５ｐのドレイン電圧Ｖｏｕｔは、出力トランジスタ１０５ｐのゲート電圧（すなわち、カレントミラー回路１０の出力電圧Ｖｏ）の変化に合わせて変化する。また、出力電圧Ｖｏのスルーレート『Ｉ／Ｃ』は一定であるので、出力トランジスタ１０５ｐのドレイン電圧Ｖｏｕｔは、一定速度で変化する。
【００２１】
＜効果＞
以上のように、出力電圧の変化が負荷容量に依存することなく、出力電圧を一定速度で変化させることができる。これにより、高品質な駆動を実現することができる。
【００２２】
（第２の実施形態）
＜全体構成＞
図２は、この発明の第２の実施形態による出力駆動装置の構成を示す。この出力駆動装置１は、図１に示した出力駆動装置１に加えて、電位生成回路３０を備える。また、カレントミラー回路１０は、電流源１０１，１０２に代えて、電流源用トランジスタ２０６，２０７を備える。その他の構成は、図１と同様である。
【００２３】
電位生成回路３０は、バイアス用抵抗（定電流源）２０１と、バイアス電圧生成用トランジスタ２０２と、電流バッファ２０３と、二値論理回路２０４，２０５とを含む。バイアス用抵抗２０１およびバイアス電圧生成用トランジスタ２０２は、第１の電位と第２の電位との間に直列に接続される。バイアス電圧生成用トランジスタ２０２のゲートおよびドレインは、互いに接続されている。電流バッファ２０３は、一方の入力端子にバイアス電圧生成用トランジスタ２０２のドレイン電圧（バイアス電圧ＶＢ）を受け、他方の入力端子と出力端子とが互いに接続されている。二値論理回路２０４，２０５の各々は、一方の電源入力端子に電流バッファ２０３からの出力（バイアス電圧ＶＢ）を受け、他方の電源入力端子に第２の電位を受ける。二値論理回路２０４は、表示データに対応する制御信号Ｓ２００に応じて『電流バッファ２０３の出力』および『第２の電位』のうちいずれか一方を出力する。二値論理回路２０５は、二値論理回路２０４の出力に応じて『電流バッファ２０３の出力』および『第２の電位』のうちいずれか一方を出力する。
【００２４】
カレントミラー回路１０において、電流源用トランジスタ２０６は、入力トランジスタ１０３と第２の電位との間に接続され、二値論理回路２０４の出力をゲートに受ける。電流源用トランジスタ２０７は、入力トランジスタ１０４と第２の電位との間に接続され、二値論理回路２０５の出力をゲートに受ける。
【００２５】
なお、図２では、二値論理回路２０４，２０５の各々は『電流バッファ２０３の出力』を一方の電源として受け『第２の電位』を他方の電源として受けているが、二値論理回路２０４は、電流源用トランジスタ２０６に任意の定電流を流すための『第３の電位』を一方の電源として受け、電流源用トランジスタ２０６に０以上の任意の電流を流すための『第４の電位』を他方の電源として受けていれば良い。また、二値論理回路２０５は、電流源用トランジスタ２０７に任意の定電流を流すための『第５の電位』を一方の電源として受け、電流源用トランジスタ２０７に０以上の任意の電流を流すための『第６の電位』を他方の電源として受けていれば良い。
【００２６】
＜動作＞
次に、図２に示した出力駆動装置１による動作について説明する。
【００２７】
まず、制御信号Ｓ２００が『バイアス電圧ＶＢ』から『第２の電位』になると（すなわち、表示データが『Ｈレベル』から『Ｌレベル』になると）、二値論理回路２０４の出力は『電流バッファの出力（バイアス電圧ＶＢ）』になり、二値論理回路２０５の出力は『第２の電位』になる。よって、カレントミラー回路１０において、電流源用トランジスタ２０６には、二値論理回路２０５の出力に応じた電流（バイアス電圧ＶＢによって決定される電流）が流れる。一方、電流源用トランジスタ２０７に流れる電流は停止する。入力トランジスタ１０３には電流源用トランジスタ２０６の電流と同じ電流値の電流が流れるとともに、カレントミラー構造になっている入力トランジスタ１０４にも電流が流れる。これにより、入力トランジスタ１０４のドレイン電圧Ｖｏはソース電圧である『第１の電位』に近づき、ドレイン電圧Ｖｏが『第１の電位』の近傍になると入力トランジスタ１０４の電流は停止する。カレントミラー回路１０の出力電圧Ｖｏが『第１の電位』の近傍にあるため、出力回路２０の出力トランジスタ１０５ｐには電流が流れない。また、このとき、制御信号Ｓ１０５ｎは『Ｈレベル』になっており、出力トランジスタ１０５ｎは『オン』になっている。よって、出力回路２０の出力電圧Ｖｏｕｔは、『第２の電位』の近傍になっている。
【００２８】
次に、制御信号Ｓ２００が『第２の電位』から『バイアス電圧ＶＢ』になると（すなわち、表示データが『Ｌレベル』から『Ｈレベル』になると）、二値論理回路２０４の出力は『第２の電位』になり、二値論理回路２０５の出力は『電流バッファの出力（バイアス電圧ＶＢ）』になる。カレントミラー回路１０において、電流源用トランジスタ２０６に流れる電流は停止するので、入力トランジスタ１０３，１０４の各々に流れる電流も停止する。一方、電流源用トランジスタ２０７には、二値論理回路２０５の出力に応じた電流（バイアス電圧ＶＢによって決定される電流）が流れる。また、制御信号Ｓ１０５ｎは『Ｌレベル』になっており、出力トランジスタ１０５ｎは『オフ』になっている。このとき、カレントミラー回路１０の出力電圧Ｖｏのスルーレートは『Ｉ／Ｃ』になる。ここで、出力電圧Ｖｏのスルーレート『Ｉ／Ｃ』が出力電圧Ｖｏｕｔのスルーレート『ｉ／ＣＬ』に比べて小さい場合、出力トランジスタ１０５ｐのゲート−ドレイン間容量によるフィードバックによって、出力トランジスタ１０５ｐのドレン電圧Ｖｏｕｔは、出力トランジスタ１０５ｐのゲート電圧（すなわち、カレントミラー回路１０の出力電圧Ｖｏ）の変化に合わせて変化する。また、出力電圧Ｖｏのスルーレート『Ｉ／Ｃ』は一定であるので、出力トランジスタ１０５ｐのドレイン電圧Ｖｏｕｔは、一定速度で変化する。
【００２９】
＜効果＞
以上のように、二値論理回路の各々に『バイアス電圧』および『第２の電位』を電源として与え、二値論理回路の各々の出力によって電流源用トランジスタの駆動を制御することによって、電流オン／オフ制御を容易に実現することができる。
【００３０】
（第３の実施形態）
＜全体構成＞
図３は、この発明の第３の実施形態による出力駆動装置１の構成を示す。この出力駆動装置１の構成は図２に示した出力駆動装置１と同様であるが、入力トランジスタ１０３，１０４の各々の「チャネル幅／チャネル長（Ｗ／Ｌ）」が互いに異なる。入力トランジスタ１０３のＷ／Ｌは入力トランジスタ１０４のＷ／Ｌよりも小さく、入力トランジスタ１０３のＷ／Ｌと入力トランジスタ１０４のＷ／Ｌとの割合は、『１：Ｎ』である。
【００３１】
＜動作＞
次に図３に示した出力駆動装置１による動作について、図３を用いて説明する。
【００３２】
まず、表示データに対応する制御信号Ｓ２００が『第２の電位』から『バイアス電圧ＶＢ』になると、二値論理回路２０４の出力は『第２の電位』になり、二値論理回路２０５の出力は『電流バッファの出力（バイアス電圧ＶＢ）』になる。よって、図２に示した出力駆動装置１と同様に、電流源用トランジスタ２０６に流れる電流は停止し、電流源用トランジスタ２０７には二値論理回路２０５の出力に応じた電流（バイアス電圧ＶＢによって決定される電流）が流れる。これにより、入力トランジスタ１０４のドレイン電圧Ｖｏは入力トランジスタ１０４のソース電位である『第２の電位』に近づき、ドレイン電圧Ｖｏが『第２の電位』の近傍になると電流源用トランジスタ２０７を流れる電流が停止する。このとき、制御信号Ｓ１０５ｎは『Ｌレベル』になっており、出力トランジスタ１０５ｎは『オフ』になっている。ここで、カレントミラー回路１０の出力電圧Ｖｏが『第２の電位』の近傍になるため、出力回路２０の出力トランジスタ１０５ｐには電流が流れて、出力回路２０の出力電圧（出力トランジスタ１０５ｐのドレイン電圧）Ｖｏｕｔは、『第１の電位』の近傍になる。この出力電圧Ｖｏｕｔにより負荷容量ＣＬが駆動される。
【００３３】
次に、制御信号Ｓ２００が『バイアス電圧ＶＢ』から『第２の電位』になると、二値論理回路２０４の出力は『電流バッファの出力（バイアス電圧ＶＢ）』になり、二値論理回路２０５の出力は『第２の電位』になる。よって、カレントミラー回路１０において、電流源用トランジスタ２０６には、二値論理回路２０５の出力に応じた電流（バイアス電圧ＶＢによって決定される電流）が流れる。一方、電流源用トランジスタ２０７に流れる電流は停止する。このとき、電流源用トランジスタ２０６，２０６の各々の電流能力が互いに同一であるとすると、入力トランジスタ１０４に流れる電流は入力トランジスタ１０３に流れる電流に対してＮ倍になるので、図２に示した出力駆動装置に比べて入力トランジスタ１０４のドレイン電圧Ｖｏを『第１の電位』へＮ倍の速さで変動させることができる。入力トランジスタ１０４のドレイン電圧Ｖｏが『第１の電位』の近傍になると、出力トランジスタ１０５ｐが停止するとともに、入力トランジスタ１０４に流れる電流が停止する。
【００３４】
＜効果＞
以上のように、出力回路の出力トランジスタを高速にオフにすることができる。
【００３５】
（第４の実施形態）
＜全体構成＞
この発明の第４の実施形態による出力駆動装置の構成を図４に示す。この出力駆動装置１は、図２に示した出力駆動装置１に加えて、遅延回路４０１を備える。遅延回路４０１は、二値論理回路２０５の出力を遅延させる。出力トランジスタ１０５ｎは、制御信号Ｓ１０５ｎに代えて、遅延回路４０１の出力をゲートに受ける。その他の構成は、図２と同様である。
【００３６】
＜動作＞
次に、図４に示した出力駆動装置１による動作について説明する。
【００３７】
まず、表示データに対応する制御信号Ｓ２００が『第２の電位』から『バイアス電電圧ＶＢ』になると、二値論理回路２０４の出力は『第２の電位』になり、二値論理回路２０５の出力は『電流バッファの出力（バイアス電圧ＶＢ）』になる。よって、図２に示した出力駆動装置１と同様に、電流源用トランジスタ２０６に流れる電流は停止し、電流源用トランジスタ２０７には二値論理回路２０５の出力に応じた電流（バイアス電圧ＶＢによって決定される電流）が流れる。これにより、入力トランジスタ１０４のドレイン電圧Ｖｏは入力トランジスタ１０４のソース電位である『第２の電位』に近づき、ドレイン電圧Ｖｏが『第２の電位』の近傍になると電流源用トランジスタ２０７を流れる電流が停止する。カレントミラー回路１０の出力電圧Ｖｏが『第２の電位』の近傍になり遅延回路４０１の出力が『第２の電位』になるため、出力回路２０の出力トランジスタ１０５ｐには電流が流れる一方、出力トランジスタ１０５ｎに流れる電流が停止する。よって、出力回路２０の出力電圧（出力トランジスタ１０５ｐのドレイン電圧）Ｖｏｕｔは、『第１の電位』の近傍になる。この出力電圧Ｖｏｕｔにより負荷容量ＣＬが駆動される。
【００３８】
次に、制御信号Ｓ２００が『バイアス電圧ＶＢ』から『第２の電位』になると、二値論理回路２０４の出力は『電流バッファの出力（バイアス電圧ＶＢ）』になり、二値論理回路２０５の出力は『第２の電位』になる。よって、カレントミラー回路１０において、電流源用トランジスタ２０６には、二値論理回路２０５の出力に応じた電流（バイアス電圧ＶＢによって決定される電流）が流れる。一方、電流源用トランジスタ２０７に流れる電流は停止する。このとき、入力トランジスタ１０４のドレイン電圧Ｖｏは『第１の電位』に近づくが、出力回路２０の出力トランジスタ１０５ｐは、すぐには『オフ』にならない。ここで、出力トランジスタ１０５ｐが『オフ』にならないうちに出力トランジスタ１０５ｎがオンになると、出力トランジスタ１０５ｐ，１０５ｎの間に貫通電流が流れる。しかし、ここでは、遅延回路４０１によって出力トランジスタ１０５ｎが『オフ』から『オン』になるまでの時間を遅延させることができるので、貫通電流が流れることを防止することができる。
【００３９】
＜効果＞
以上のように、出力回路の出力トランジスタが『オフ』から『オン』になるまでの時間を遅延させることができるので、貫通電流を防止することができる。
【００４０】
（第５の実施形態）
＜全体構成＞
図５は、この発明の第５の実施形態による出力駆動装置の構成を示す。この出力駆動装置１は、図２に示した出力回路２０に加えて、容量５０１を備える。容量５０１は、出力トランジスタ１０５ｐのゲートとドレインとの間に接続される。
【００４１】
＜動作＞
次に、図５に示した出力駆動装置１による動作について説明する。なお、ここでは、容量５０１の容量値を『Ｃｆ』とする。
【００４２】
まず、表示データに対応する制御信号Ｓ２００が『バイアス電圧ＶＢ』から『第２の電位』になると、二値論理回路２０４の出力は『電流バッファの出力（バイアス電圧ＶＢ）』になり、二値論理回路２０５の出力は『第２の電位』になる。よって、カレントミラー回路１０において、電流源用トランジスタ２０６には、二値論理回路２０５の出力に応じた電流（バイアス電圧ＶＢによって決定される電流）が流れる。一方、電流源用トランジスタ２０７に流れる電流は停止する。入力トランジスタ１０３には電流源用トランジスタ２０６の電流と同じ電流値の電流が流れるとともに、カレントミラー構造になっている入力トランジスタ１０４にも電流が流れる。これにより、入力トランジスタ１０４のドレイン電圧Ｖｏはソース電圧である『第１の電位』に近づき、ドレイン電圧Ｖｏが『第１の電位』の近傍になると入力トランジスタ１０４の電流は停止する。カレントミラー回路１０の出力電圧Ｖｏが『第１の電位』の近傍にあるため、出力回路２０の出力トランジスタ１０５ｐには電流が流れない。また、このとき、制御信号Ｓ１０５ｎは『Ｈレベル』になっており、出力トランジスタ１０５ｎは『オン』になっている。よって、出力回路２０の出力電圧Ｖｏｕｔは、『第２の電位』の近傍になっている。
【００４３】
次に、制御信号Ｓ２００が『第２の電位』から『バイアス電圧ＶＢ』になると、二値論理回路２０４の出力は『第２の電位』になり、二値論理回路２０５の出力は『電流バッファの出力（バイアス電圧ＶＢ）』になる。カレントミラー回路１０において、電流源用トランジスタ２０６に流れる電流は停止するので、入力トランジスタ１０３，１０４の各々に流れる電流も停止する。一方、電流源用トランジスタ２０７には、二値論理回路２０５の出力に応じた電流（バイアス電圧ＶＢによって決定される電流）が流れる。また、制御信号Ｓ１０５ｎは『Ｌレベル』になっており、出力トランジスタ１０５ｎは『オフ』になっている。このとき、カレントミラー回路１０の出力電圧Ｖｏのスルーレートは『Ｉ／（Ｃ＋Ｃｆ）』になる。ここで、出力電圧Ｖｏのスルーレート『Ｉ／（Ｃ＋Ｃｆ）』が出力電圧Ｖｏｕｔのスルーレート『ｉ／ＣＬ』に比べて小さい場合、出力トランジスタ１０５ｐのゲート−ドレイン間容量によるフィードバックによって、出力トランジスタ１０５ｐのドレン電圧Ｖｏｕｔは、出力トランジスタ１０５ｐのゲート電圧（出力電圧Ｖｏ）の変化に合わせて変化する。また、出力電圧Ｖｏのスルーレート『Ｉ／Ｃ』は一定であるので、出力トランジスタ１０５ｐのドレイン電圧Ｖｏｕｔは、一定速度で変化する。
【００４４】
＜効果＞
以上のように、スルーレートを『Ｉ／（Ｃ＋Ｃｆ）』にすることができる。ここで、出力トランジスタのゲート−ドレイン間容量『Ｃ』は電圧依存性を有するが、新たに設けた容量（＝『Ｃｆ』）は、電圧依存性を持たない特性にしたり、任意の電圧依存性を持たせたりすることができる。これにより、より最適なスルーレート制御が可能になる。
【００４５】
（第６の実施形態）
＜全体構成＞
図６は、この発明の第６の実施形態による出力駆動装置の構成を示す。この出力駆動装置１は、図１に示したカレントミラー回路１０に加えて、電流源６０１を備える。電流源６０１は、電流値の可変制御が可能であり、表示データに対応する制御信号Ｓ６０１に応じてオン／オフする。また、電流源６０１は、入力トランジスタ１０３のドレインと第２の電位との間に接続される。電流源６０１がオンのときに流す電流の電流値は、電流源１０１に比べて小さい。電流源１０１は、表示データが『Ｌレベル』から『Ｈレベル』になると『オン』になり、所定時間（入力トランジスタ１０４のドレイン電圧が安定するために十分な時間）が経過すると『オフ』になる。
【００４６】
＜動作＞
次に、図６に示した出力駆動装置１による動作について説明する。
【００４７】
まず、表示データが『Ｌレベル』から『Ｈレベル』になると、電流源１０１，６０１が『オン』から『オフ』になり、電流源１０２が『オフ』から『オン』になる。よって、入力トランジスタ１０３に流れる電流が停止するとともに、カレントミラー構造になっている入力トランジスタ１０４に流れる電流も停止する。これにより、入力トランジスタ１０４のドレイン電圧Ｖｏは電流源１０２によって『第２の電位』側に引き込まれて、ドレイン電圧Ｖｏは『第２の電位』の近傍になる。また、このとき、制御信号Ｓ１０５ｎは『Ｌレベル』になっており、出力トランジスタ１０５ｎは『オフ』になっている。ここで、カレントミラー回路１０の出力電圧Ｖｏが『第２の電位』の近傍になるため、出力回路２０の出力トランジスタ１０５ｐに電流が流れて、出力回路２０の出力電圧（出力トランジスタ１０５ｐのドレイン電圧）Ｖｏｕｔは、『第１の電位』の近傍になる。
【００４８】
次に、表示データが『Ｈレベル』から『Ｌレベル』になると、電流源１０１，１０２，６０１が制御信号Ｓ１０１，Ｓ１０２，Ｓ６０１を受け、電流源１０１，６０１が『オフ』から『オン』になり、電流源１０２が『オン』から『オフ』になる。よって、入力トランジスタ１０３，１０４の各々には電流が流れる。このとき、入力トランジスタ１０４のドレイン電圧Ｖｏはソース電圧である『第１の電位』に近づき、ドレイン電圧Ｖｏが『第１の電位』の近傍になると入力トランジスタ１０４を流れる電流が停止する。また、制御信号Ｓ１０５ｎは『Ｈレベル』になっており、出力トランジスタ１０５ｎは『オン』になっている。ここで、カレントミラー回路１０の出力電圧Ｖｏｕｔが『第１の電位』の近傍であるので出力回路２０の出力トランジスタ１０５ｐには電流が流れず、出力回路２０の出力電圧Ｖｏｕｔは『第２の電位』の近傍になる。一方、入力トランジスタ１０３に電流が流れ続けることを防止するため、入力トランジスタ１０４のドレイン電圧Ｖｏが『第１の電位』の近傍になって安定した後に、制御信号Ｓ１０１によって電流源１０１は停止する。このとき、電流源６０１は流れたままであるので、入力トランジスタ１０４のドレイン電圧Ｖｏは、『第１の電位』付近にとどまる。
【００４９】
＜効果＞
以上のように、入力トランジスタ１０３のドレインに電流源１０１に比べて電流値が少ない電流源６０１を接続することによって、電流源１０１による貫通電流を減少でき、低電力な出力駆動装置を構成することができる。
【００５０】
（第７の実施形態）
＜全体構成＞
図７は、この発明の第７の実施形態による出力駆動装置の構成を示す。この出力駆動装置１は、図１に示した出力回路２０に加えて、電流源７０１およびトランジスタ７０２を備える。電流源７０１は、電流値の可変制御が可能であり制御信号Ｓ７０１に応じてオン／オフする。トランジスタ７０２は、出力トランジスタ１０５ｐのゲートがソースに接続され、電流源７０１がドレインに接続され、出力トランジスタ１０５ｐドレインがゲートに接続されている。
【００５１】
＜動作＞
次に、図７に示した出力駆動装置１による動作について説明する。なお、ここでは、電流源７０１がオンであるときの電流源７０１の電流を『Ｉｓ』とする。
【００５２】
まず、表示データが『Ｈレベル』から『Ｌレベル』になると、電流源１０１が『オフ』から『オン』になり、電流源１０２，７０１が『オン』から『オフ』になる。よって、入力トランジスタ１０３に電流が流れるとともに、カレントミラー構造になっている入力トランジスタ１０４にも電流が流れる。これにより、入力トランジスタ１０４のドレイン電圧Ｖｏはソース電位である『第１の電位』に近づき、ドレイン電圧Ｖｏが『第１の電位』の近傍になると入力トランジスタ１０４を流れる電流が停止する。また、このとき、制御信号Ｓ１０５ｎは『Ｈレベル』になっており、出力トランジスタ１０５ｎは『オン』になっている。ここで、カレントミラー回路１０の出力電圧Ｖｏが『第１の電位』の近傍になるため、出力回路２０の出力トランジスタ１０５ｐには電流が流れなくなる。よって、出力回路２０の出力電圧（出力トランジスタ１０５ｐのドレイン電圧）Ｖｏｕｔは、『第２の電位』の近傍になる。
【００５３】
次に、表示データが『Ｌレベル』から『Ｈレベル』になると、電流源１０１が『オン』から『オフ』になり、電流源１０２，７０１が『オフ』から『オン』になる。よって、入力トランジスタ１０３，１０４の各々に流れる電流が停止する。一方、制御信号Ｓ１０５ｎは『Ｌレベル』になっており、出力トランジスタ１０５ｎは『オフ』になっている。このとき、カレントミラー回路１０の出力電圧Ｖｏのスルーレートは『（Ｉ＋Ｉｓ）／Ｃ』になる。その後、トランジスタ７０２のソース電圧（カレントミラー回路１０の出力電圧Ｖｏ）とゲート電圧（出力回路２０の出力電圧Ｖｏｕｔ）との関係よりトランジスタ７０２のオン条件が成立しなくなると（すなわち、トランジスタ７０２が『オフ』になると）、出力電圧Ｖｏのスルーレートは、『Ｉ／Ｃ』になる。ここで、負荷容量ＣＬが小さく出力回路２０の出力電圧Ｖｏｕｔの変化が早い場合、負荷容量ＣＬが大きい場合に比べて短時間でカレントミラー回路１０の出力電圧Ｖｏのスルーレートが小さくなるので、出力負荷依存性を抑制することができる。また、出力電圧Ｖｏのスルーレート『Ｉ／Ｃ』が出力電圧Ｖｏｕｔのスルーレート『ｉ／ＣＬ』に比べて小さい場合、出力トランジスタ１０５ｐのゲート−ドレイン間容量によるフィードバックによって、出力トランジスタ１０５ｐのドレン電圧Ｖｏｕｔは、出力トランジスタ１０５ｐのゲート電圧の変化（出力電圧Ｖｏ）に合わせて変化する。また、出力電圧Ｖｏのスルーレート『Ｉ／Ｃ』は一定であるので、出力トランジスタ１０５ｐのドレイン電圧Ｖｏｕｔは、一定速度で変化する。
【００５４】
＜効果＞
以上のように、負荷容量が小さく出力回路の出力電圧の変化が早い場合、負荷容量が大きい場合に比べて短時間でカレントミラー回路の出力電圧のスルーレートが小さくなるので、出力負荷依存性を抑制することができる。
【００５５】
（第８の実施形態）
＜全体構成＞
図８は、この発明の第８の実施形態による出力駆動装置の構成を示す。この出力駆動装置１の構成は図２に示した出力駆動装置１と同様であるが、出力回路２０の接続関係が異なる。出力トランジスタ１０５ｐは、カレントミラー回路１０の出力電圧Ｖｏに代えて、制御信号Ｓ１０５ｐをゲートに受ける。出力トランジスタ１０５ｎは、制御信号Ｓ１０５ｐに代えて、カレントミラー回路１０の出力電圧Ｖｏをゲートに受ける。
【００５６】
＜動作＞
次に、図８に示した出力駆動装置１による動作について説明する。なお、ここでは、電流源用トランジスタ２０７がオンであるときに電流源用トランジスタ２０７に流れる電流を『Ｉ』とし、出力回路２０の出力トランジスタ１０５ｎのゲート−ドレイン間容量を『Ｃ』とし、出力回路２０の出力トランジスタ１０５ｎの電流能力を『ｉ』とし、表示装置の負荷容量を『ＣＬ』とする。
【００５７】
まず、制御信号Ｓ２００が『第２の電位』から『バイアス電圧ＶＢ』になると（すなわち、表示データが『Ｌレベル』から『Ｈレベル』になると）、二値論理回路２０４の出力が『第２の電位』になり、二値論理回路２０５の出力が『バイアス電圧ＶＢ』になる。これにより、電流源用トランジスタ２０６を流れる電流は停止するので、入力トランジスタ１０３，１０４の各々に流れる電流も停止する。一方、電流源用トランジスタ２０７には、二値論理回路２０５の出力に応じた電流（バイアス電圧ＶＢによって決定される電流）が流れる。これにより、電流源用トランジスタ２０７のドレイン電圧Ｖｏはソース電圧である『第２の電位』に近づき、ドレイン電圧Ｖｏが『第２の電位』の近傍になると電流源用トランジスタ２０７に流れる電流が停止する。また、このとき、制御信号Ｓ１０５ｐは『Ｌレベル』になっており、出力トランジスタ１０５ｐは『オン』になっている。ここで、カレントミラー回路１０の出力電圧Ｖｏが『第２の電位』の近傍になるので、出力回路２０の出力トランジスタ１０５ｎには電流が流れず、出力回路２０の出力電圧（出力トランジスタ１０５ｎのドレイン電圧）Ｖｏｕｔは『第１の電圧』の近傍になる。
【００５８】
次に、制御信号Ｓ２００が『バイアス電圧ＶＢ』から『第２の電位』になると（すなわち、表示データが『Ｈレベル』から『Ｌレベル』になると）、二値論理回路２０４の出力は『バイアス電圧ＶＢ』になり、二値論理回路２０５の出力は『第２の電位』になる。これにより、電流源用トランジスタ２０７に流れる電流は停止する。一方、電流源用トランジスタ２０６には二値論理回路２０４の出力に応じた電流（バイアス電圧ＶＢによって決定される電流）が流れるので、入力トランジスタ１０３には電流源用トランジスタ２０６の電流と同じ電流値の電流が流れるとともに、カレントミラー構造になっている入力トランジスタ１０４にも電流が流れる。また、制御信号Ｓ１０５ｐは『Ｈレベル』になっており、出力トランジスタ１０５ｐは『オフ』になっている。このとき、カレントミラー回路１０の出力電圧Ｖｏのスルーレートは『Ｉ／Ｃ』になる。ここで、出力電圧Ｖｏのスルーレート『Ｉ／Ｃ』が出力電圧Ｖｏｕｔのスルーレート『ｉ／ＣＬ』に比べて小さい場合、出力トランジスタ１０５ｎのゲート−ドレイン間容量によるフィードバックによって、出力トランジスタ１０５ｎのドレン電圧Ｖｏｕｔは、出力トランジスタ１０５ｎのゲート電圧（出力電圧Ｖｏ）の変化に合わせて変化する。また、出力電圧Ｖｏスルーレート『Ｉ／Ｃ』は一定であるので、出力トランジスタ１０５ｎのドレイン電圧Ｖｏｕｔは、一定速度で変化する。
【００５９】
＜効果＞
以上のように、カレントミラー回路の出力電圧を出力回路のＰチャネルトランジスタに供給する場合だけでなく、出力回路のＮチャネルトランジスタに供給する場合も、出力回路の出力電圧の変化は負荷容量に依存しない。これにより、高品質な駆動を実現することができる。
【００６０】
（第９の実施形態）
＜全体構成＞
図９は、この発明の第９の実施形態による表示装置の構成を示す。この表示装置は、複数の出力駆動ＩＣ２と、表示パネル３とを備える。出力駆動ＩＣ２の各々は、図１〜図８の各々に示した出力駆動装置１を複数個内蔵しており、内蔵している出力駆動装置１と同数の出力端子を有する。出力駆動ＩＣ２の各々が表示パネル３に実装されるときに、これらの出力端子は、表示パネル３に接続される。
【００６１】
＜作用＞
次に、図９に示した表示装置による動作について説明する。出力駆動ＩＣの出力端子が表示パネル３の各画素に配線されるので配線間の距離は短く、線間容量カップリングが発生する。また、隣接する出力端子の各々は対応する出力駆動装置１に与えられた表示データに応じて動作を実行するので、隣接端子間容量による影響がばらつく。例えば、ある出力端子とそれに隣接する出力端子とが共に同一方向に変化した場合（両方が『Ｈレベル』から『Ｌレベル』に変化した場合）には、各々の出力端子に対する負荷容量は相対的に減少したようになり、逆方向に変化した場合（ある出力端子が『Ｈレベル』から『Ｌレベル』に変化し、それに隣接する出力端子が『Ｌレベル』から『Ｈレベル』に変化した場合）には、各々の出力端子に対する負荷容量は相対的に増加したようになる。また、１つの出力端子の両側にそれぞれ１つずつ出力端子が存在するので、隣接端子による影響は２倍になる（すなわち、容量負荷の減少／増加が２倍になることがある）。高い表示品質を得るためには、このような負荷条件の変化によって出力波形が変化しないようにする必要がある。そこで、図１〜図８の各々に示した出力駆動装置１を用いることにより、負荷依存性の少ない駆動を実現することができる。
【００６２】
＜効果＞
以上のように、負荷依存性の少ない駆動ができるため、表示データによる配線負荷カップリング容量の大小にかかわらず、出力波形が安定した駆動ができ、高品質な画像を表示できる表示装置を実現できる。
【産業上の利用可能性】
【００６３】
本発明にかかる出力駆動装置および表示装置は、容量負荷駆動装置に関するものであり、特に、ＰＤＰ（Ｐｌａｓｍａ  Ｄｉｓｐｌａｙ  Ｐａｎｅｌ）などの表示用ドライバ等に有用である。また、高耐圧プロセスを利用する液晶パネル用ドライバ等として応用できる。
【図面の簡単な説明】
【００６４】
【図１】この発明の第１の実施形態による出力駆動装置の構成を示す図である。
【図２】この発明の第２の実施形態による出力駆動装置の構成を示す図である。
【図３】この発明の第３の実施形態による出力駆動装置の構成を示す図である。
【図４】この発明の第４の実施形態による出力駆動装置の構成を示す図である。
【図５】この発明の第５の実施形態による出力駆動装置の構成を示す図である。
【図６】この発明の第６の実施形態による出力駆動装置の構成を示す図である。
【図７】この発明の第７の実施形態による出力駆動装置の構成を示す図である。
【図８】この発明の第８の実施形態による出力駆動装置の構成を示す図である。
【図９】この発明の第９の実施形態による表示装置の構成を示す図である。
【図１０】従来の出力駆動装置の構成を示す図である。
【符号の説明】
【００６５】
１    出力駆動装置
１０    カレントミラー回路
２０    出力回路
３０    電位生成回路
１０１，１０２，６０１，７０１    電流源
１０３，１０４    入力トランジスタ
１０５ｐ，１０５ｎ    出力トランジスタ
２０１    バイアス用抵抗
２０２    バイアス電圧生成用トランジスタ
２０３    電流バッファ
２０４，２０５    二値論理回路
２０６，２０７    電流源用トランジスタ
４０１    遅延回路
５０１    容量
７０２    トランジスタ
【図１】
2008032812.tif 000003
【図２】
2008032812.tif 000004
【図３】
2008032812.tif 000005
【図４】
2008032812.tif 000006
【図５】
2008032812.tif 000007
【図６】
2008032812.tif 000008
【図７】
2008032812.tif 000009
【図８】
2008032812.tif 000010
【図９】
2008032812.tif 000011
【図１０】
2008032812.tif 000012